(57)【特許請求の範囲】
【請求項１】
映像情報および音声情報からなる番組を記述する複数行スクリプトからなるスクリプト列を生成および編集するための番組スクリプト制作方法であって、前記スクリプト列を表示すると共に前記スクリプト列に基づいた映像音声再生を行うことができる番組スクリプト制作方法において、
前記スクリプト列の各行スクリプトに係わる映像音声再生の部分プレビュー動作に対応する時間を表示することを特徴とする番組スクリプト制作方法。
【請求項２】
映像情報および音声情報からなる番組を記述する複数行スクリプトからなるスクリプト列を生成および編集するための番組スクリプト制作方法であって、前記スクリプト列を表示すると共に前記スクリプト列に基づいた映像音声再生を行うことができる番組スクリプト制作方法において、
前記スクリプト列の所定複数行スクリプトからなるグループに係わる映像音声再生の部分プレビュー動作に対応する時間を表示することを特徴とする番組スクリプト制作方法。
【発明の詳細な説明】
【０００１】
【発明の属する技術分野】
本発明は、テレビジョン放送番組制作やビデオ番組制作、あるいは、番組シミュレーション、プレゼンテーション、デモンストレーションなどに用いられる番組制作装置、例えば、コンピュータを利用して番組を生成させるために、番組構成情報をスクリプト列でもって記述し、その記述されたスクリプト列に応じて映像音声信号を生成したり、その映像音声信号に基づき再生された映像音声表示を行う装置に係わり、特に、スクリプトに係わる映像音声再生の再生時間経過に関する時間表示あるいは経過時刻表示に関するものである。
【０００２】
【従来の技術】
従来の番組スクリプト制作方法としては、例えば特開平２００１−１９５６０４号公報に記載のものがある。この公報に記載された図１に示された操作画面表示では、プレビューウインドウによって映像表示が行われ、さらに、番組情報表示ウインドウによって番組情報である複数行スクリプトからなるスクリプト列が表示されている。
【０００３】
【発明が解決しようとする課題】
前述の従来の技術によっては、行スクリプト毎のプレビュー時等の映像音声再生に要する再生時間がどのくらいの時間になるかが、そのスクリプト表示に対応しては簡単に確認できないという欠点がある。
【０００４】
本発明の課題は、上述の欠点を除去し、スクリプト表示に応じた経過時刻表示としてのタイムコード表示、あるいは、所要時間表示を、そのスクリプト表示に対応して表示し、それら経過時刻や所要時間を容易に確認できるようにすることである。
【０００５】
【課題を解決するための手段】
上記の課題を解決するため、本発明は、映像情報および音声情報からなる番組を記述する複数行スクリプトからなるスクリプト列を生成および編集するための番組スクリプト制作方法であって、前記スクリプト列を表示すると共に前記スクリプト列に基づいた映像音声再生を行うことができる番組スクリプト制作方法において、スクリプト列の各行スクリプトに係わる映像音声再生の再生時間経過に関する時間表示あるいは経過時刻表示を前記行スクリプトに対応して表示するものである。
【０００６】
また、本発明は、前記スクリプト列の所定複数行スクリプトからなるグループに係わる映像音声再生の再生時間経過に関する時間表示あるいは経過時刻表示を前記グループに対応して表示するものである。
【０００７】
本発明はさらに、前記時間表示あるいは経過時刻表示を部分プレビュー動作に応じて表示することしてもよい。
【０００８】
【発明の実施の形態】
以下、本発明の実施の形態について、図を用いて説明する。図２は本発明の番組スクリプト制作方法に係わる番組制作装置の構成の例を示すブロック図で、コンピュータ２０３のソフトウエアの働きにより、周辺装置であるディスプレイ２０４の画面に操作ウインドウを表示させ、押しボタン等の機能を代替するためのグラフィカル・ユーザ・インターフェース（ＧＵＩ）上で、周辺装置であるキーボード２０８や、マウス２０９の操作を組み合わせて、該装置への操作を対話形式で行う。
【０００９】
コンピュータ２０３で動作するソフトウエアの処理は、番組生成部２０５と、番組情報作成部２０６の、２つに大きく分かれる。番組生成部２０５では、番組情報作成部２０６で作成された番組情報２０１を解釈して番組を生成する。ＣＧアニメーション生成部２１０は登場キャラクタやスタジオセットのＣＧアニメーション生成を行い、音声合成部２１１は登場キャラクタの喋り声（セリフ，鳴声，擬音、スタジオの効果音（ＢＧＭ）など）を生成し、スピーカ２１４から再生音を出力することができる。また、該音声合成部２１１は、コンピュータ２０３とＲＳ−２３２Ｃなどで接続された音声合成用の外部装置でもよく、その場合は合成された音声信号を、コンピュータ２０３に入力する必要がある。
【００１０】
動画像生成部２０７は予め編集済みの動画像を表示し、シーケンサ部２２０は、番組編集情報２０１にを元に、前記ＣＧアニメーション生成部２１０及び前記音声合成部２１１及び動画像生成部２０７を制御してテレビ番組を順次生成する。
【００１１】
生成した映像は、ディスプレイ２０４に表示されたプレビューウインドウに表示される。さらに生成された映像は、ビデオインタフェース２１２で信号に変換される。該インタフェース２１２から出力された信号は、モニタ２１３に入力され、モニタ２１３に映像が表示される。
【００１２】
番組情報作成部２０６では、ユーザが番組情報を記述（操作、編集）するためソフトウエアで、操作ウインドウをディスプレイ２０４の画面に表示し、シナリオを書く要領でユーザが対話形式にテレビ番組を記述できる機能を実現している。
【００１３】
記憶装置２０２は、ＣＧキャラクタのモデリングデータ及びスタジオセットのデータ及び動画像の映像情報及びオーディオデータ（音楽，背景音，その他の音声データ）等を記憶する。本発明を用いて番組を編集した結果得られた番組編集情報２０１も、該記憶装置２０２に記憶することができる。前記憶装置２０２は、ハードディスクや光磁気ディスク、フロッピーディスク、伝送ネットワークを介したリモートファイルであってもよい。複数の記憶装置２０２で構成されている場合は、前述のすべてのデータが同じ記憶装置２０２内に記憶されている必要はなく、ＣＧキャラクタのモデリングデータは記憶装置Ａ，オーディオデータは記憶装置Ｂということも可能である。
【００１４】
番組作成部２０５および、番組情報作成部２０６で扱う番組情報は、ＴＶＭＬ（ＴＶ  Ｐｒｏｇｒａｍ  Ｍａｋｉｎｇ  Ｌａｎｇｕａｇｅ）言語で書かれているものとする。
【００１５】
ＴＶＭＬ言語仕様Ｖｅｒ１．０  （ｈｔｔｐ：／／ｗｗｗ．ｓｔｒｌ．ｎｈｋ．ｏｒ．ｊｐ／ＴＶＭＬ／Ｊａｐａｎｅｓｅ／Ｊ０３．ｈｔｍｌ）の規則では、一つのイベントは以下に示すように記述する。
イベントタイプ：コマンド名（ａｒｇ１＝ｄａｔａ１，ａｒｇ２＝ｄａｔａ２，ａｒｇ３＝ｄａｔａ３，…）
ここで、イベントタイプは、１１種類あり、それぞれにコマンドが複数存在する。コマンドの引数内のａｒｇは順不同である。
【００１６】
番組制作者（以降、オペレータと称する）が番組を制作するとき、番組を放送枠内に収める必要から、出来上がった番組の再生時間を計測し、その結果を見て、番組を編集する。再生時間を計測する際、オペレータ自身がストップウォッチで計っていると、手間がかり、又、不正確で、又、番組途中の経過時間が全く分からない。
【００１７】
このため、該番組制作装置は、番組再生中、自動的に再生時間の計測し、その結果を、コマンド単位に表示する機能を備えている。これをタイムコード表示機能という。該機能により、オペレータが再生時間を計測する手間が省け、又、時間は正確で、又、その結果がコマンド単位に残るので、番組全体の再生時間や、番組途中の経過時間を一目で確認できる。これにより、例えば、ＣＧキャラクタにセリフを喋らせるトークコマンドに時間がかかっていることが確認され、その調整のため、喋るスピードを速めたり、又、喋る文字数を減らす、という作業ができ、最終的に番組を放送枠内に収めることができる。
【００１８】
本発明の一実施例（第１の実施例）について、本発明に係わる番組制作装置の表示画面の一例を示す図３を用いて説明する。図３は、図２の番組制作装置のモニタに表示される基本的な編集画面の例である。この図において、３０１は編集画面、３０２はマウスポインタ、３０３はプレビューウィンドウ、３０４はテキスト表示ウィンドウ、３０５はタイムコード表示領域、３０６はスクリプト表示領域である。スクリプト表示領域３０６には、ＴＶＭＬ言語仕様に定義されたコマンド群３０８が記述され、このコマンド群を一行一行実行することによって、番組がプレビューウィンドウ３０３にリアルタイムに再生される。編集画面３０１の上側にあるプルダウンメニュー３１０の中にある「再生」（プルダウンメニュー３１０の表示例は図示していない）を選択することによって、番組の再生が始まる。再生が始まると、現在実行しているコマンドが３０９の様に選択表示される。それと同時に、タイムコード表示領域３０５にタイムコード３０７が順次表示される。タイムコード３０７は、番組先頭を時刻ゼロとした時のコマンドの開始時刻を表している。
【００１９】
オペレータは、番組の経過時間を詳細に確認したい場合、タイムコードがコマンド全部に表示されているので、分かり易い。しかし一方で、要所要所の時間だけ確認したい場合がある。例えば、番組は通常カット毎に分かれており、予めカット割りをして、各カットの時間配分をしている。この時、各カットの開始時刻だけ確認して、その差分（即ち、カットの再生時間）を計算すれば、時間配分が正確にいっているかすぐ確認できる。又、カットの始まりに常にタイトルを出すことがよくある。この時、タイトルコマンドの開始時刻だけ確認して、その差分を計算すれば、前述と同様、カットの再生時間を確認できる。又、ニュース番組では、撮影した動画が再生され、１秒後にアナウンサーが喋り出す。この時、動画の開始時刻とアナウンサーが喋り出す時刻だけ確認して、その差分を計算すれば、正確に１秒開いているかすぐ確認できる。
【００２０】
この様な場合、タイムコードがコマンド全部に表示されていると、逆に見にくい。オペレータは、タイムコード表示領域３０５に並ぶタイムコードから所望のタイムコードを目で探し出す必要がある。
【００２１】
又、番組制作中に複数のコマンドを編集し、その結果をプレビューする時、番組先頭から再度プレビューするのでは時間がかかる。そのため、該番組制作装置では、オペレータがマウスポインタで選択したコマンド群のみプレビューする機能を備えている。これを部分プレビュー機能という。該機能により、オペレータは目的のコマンド群を自由に選択し、番組の何処からでもプレビューすることができる。
【００２２】
部分プレビュー機能の一例を図４、５に示す。図４、５では、これまで説明した構成要素と同一の構成要素には同一の番号を付した。図４において、オペレータは、プレビューしたいコマンド群４０９をマウスポインタ３０２で選択する。そして、プルダウンメニュー３１０の中にある「再生」を選択すると、コマンド群４０９の先頭から再生が始まり、コマンド群４０９の末尾で再生が終了する。尚再生中は図５の様に、現在実行しているコマンドが３０９の様に選択表示される。
【００２３】
ここで、オペレータは、部分プレビューの経過時間を確認したい場合がある。例えば、ニュース番組で、アナウンサーが喋る時間を各ニュース３０秒と決めていた場合、アナウンサーが喋っている間のコマンド群を部分プレビューすれば、３０秒に収まっているかどうか容易に確認できる。しかし、部分プレビューの場合、タイムコードが表示されていないので、オペレータは経過時間を知るすべがない。強いて知ろうとすれば、自分でストップウォッチを使って時間を計測する必要がある。
【００２４】
又、カットの再生時間や、アナウンサーが喋っているコマンド群の再生時間を確認するには、オペレータ自身がタイムコードから計算しなければならなかった。特に、該タイムコードは時間、分、秒、フレーム数の計算をしなければならず、面倒である。
【００２５】
以下、本発明の別の一実施例（第２の実施例）を図１、図６〜１３によって説明する。図６〜１３では、これまで説明した構成要素と同一の構成要素には同一の番号を付した。本発明では、図６のプルダウンメニュー３１０に新規追加したタイムコードプルダウンメニュー６２０で、タイムコードの表示箇所を指定できるようにした。
【００２６】
初めに、該メニュー６２０をマウスポインタ３０２でクリックすると、図７に示すメニューが表示される。メニュー項目は、表示箇所項目７３０と表示内容項目７３１である。表示箇所項目７３０を選択するとサブメニュー、表示箇所メニュー７３２が表示される。該メニュー７３２のメニュー項目は、全コマンド項目７３３、特定コマンド項目７３４、カット先頭項目７３５である。全コマンド項目７３３を選択すると、コマンド全部にタイムコードが表示される。特定コマンド項目７３４は、サブメニュー７４０をもち、該メニュー７４０では、ＴＶＭＬ言語仕様で定義されたコマンド群を選択できる。（サブメニュー７４０の表示例は図示していない）。該メニュー７４０の項目を選択すると、該メニュー７４０で指定したコマンドにタイムコードが表示される。尚、該メニュー７４０の項目は複数選択可である。即ち、複数のコマンドにタイムコードを表示することが出来る。カット先頭項目７３５を選択すると、タイムコードは各カットの先頭コマンドに表示される。チェックマーク７３６は、現在どの表示箇所が選択されているかを示す。図７では、全コマンド項目７３３にチェックマーク７３６が表示されているので、タイムコード表示領域３０５には、コマンド全部にタイムコード６０７が表示されている。
【００２７】
以下、各カットの先頭コマンドにタイムコードを表示する処理を、図１、７〜８を使って説明する。図１のステップ１０１で、オペレータは図７の表示箇所メニュー７３２からカット先頭項目７３５を選択する。次にステップ１０２で、スクリプト表示領域３０６にあるコマンドを読込む。次にステップ１０３で、ステップ１０２で読込んだコマンドを解析する。次にステップ１０４で、ステップ１０３で解析したコマンドとステップ１０１で指定した表示箇所が一致しているか比較する。真ならば、ステップ１０５で、タイムコード表示領域３０５にタイムコードを表示する。偽ならば、ステップ１０６で、タイムコード表示領域３０５にタイムコードを表示しない。次にステップ１０７で、コマンドの終わりまで処理を行ったか判定する。真ならば、本処理を終了する。偽ならば、ステップ１０２に戻り、ステップ１０２〜１０７の処理を繰り返す。その結果、図８の様にカットの先頭コマンドにだけタイムコード８０９が表示される。尚、この実施例では、スクリプト表示領域３０６にコメント文「／／  ｃｕｔ（番号）」を記述し、その直後のコマンドをカット先頭コマンドとした。
【００２８】
次に、特定コマンドにタイムコードを表示することの効果を、図７、９〜１２を使って説明する。図９の番組３０８−９は、カット先頭にタイトルコマンド９１０を実行し、タイトルを表示している。タイムコード９０７はコマンド全部に表示されている。ここで、図７の特定コマンド項目７３４のサブメニュー７４０からタイトルコマンドを選択する。その結果、図１０の様に、タイトルコマンド９１０にだけタイムコード１００７が表示されるため、タイムコードが見易くなる。又、図１１の番組３０８−１１は、動画コマンド１１１０で動画を再生し、動画再生中、トークコマンド１１１１でアナウンサーのナレーションを流している。タイムコード１１０７はコマンド全部に表示されている。ここで、図７の特定コマンド項目７３４のサブメニュー７４０から動画コマンドとトークコマンドを選択する。その結果、図１２の様に、動画コマンド１１１０とトークコマンド１１１１にだけタイムコード１２０７が表示され、タイムコードが見易くなる。
【００２９】
又、操作性を挙げるため、図１３の様に、タイムコードポップアップメニュー１３３０も表示させるようにした。該メニュー１３３０は、図７のタイムコードプルダウンメニュー６２０と同じメニュー項目を持っている。該メニュー１３３０は、タイムコード表示領域３０５のタイムコードが選択されていない状態で、マウス右クリックをすると表示される。該メニュー１３３０からでもプルダウンメニュー６２０の時と同じ結果が得られる。
【００３０】
次に、本発明の別の一実施例（第３の実施例）を図４、図１４〜１５によって説明する。図１５では、これまで説明した構成要素と同一の構成要素には同一の番号を付した。本発明では、部分プレビュー中にタイムコードを表示し、番組の経過時間をオペレータが確認できるようにした。部分プレビュー中にタイムコードを表示させる処理を、図４、１４を使って説明する。
【００３１】
図１４のステップ１４０１で、オペレータは、図４のコマンド群４０９をマウスポインタ３０２で選択する。次にステップ１４０２で、オペレータは、プルダウンメニュー３１０の「再生」を選択し再生を実行する。次にステップ１４０３で、再生開始時刻を内部データに保持する。次にステップ１４０４で、コマンド群４０９の先頭をコマンドＡとする。次にステップ１４０５で、コマンドＡに開始時刻「００：００：００：００」を表示する。次にステップ１４０６で、コマンドＡの実行が完了したかを判断する。真ならば、ステップ１４０７に進む。偽ならば、完了するまでステップ１４０６の処理を繰り返す。次にステップ１４０７で、コマンドＡの次のコマンドを新たにコマンドＡとする。（ここでいう「次のコマンド」は、図７の表示箇所メニューで指定されたコマンドである。即ち、次にタイムコードが表示されるコマンドを意味する）。次にステップ１４０８で、現在時刻を取得する。次にステップ１４０９で、ステップ１４０８の現在時刻からステップ１４０３の開始時刻を引き、コマンド群４０９の先頭を時刻ゼロとしたコマンド開始時刻を計算する。次にステップ１４１０で、ステップ１４０９で計算したコマンド開始時刻をタイムコード領域３０５に表示する。最後にステップ１４１１で、コマンドＡはコマンド群４０９の末尾であるか判断する。真ならば、本処理を終了する。偽ならば、ステップ１４０６に戻り、タイムコード表示処理を繰り返す。その結果、図１５の様に、コマンド群４０９の先頭を時刻ゼロとしたコマンド開始時刻、タイムコード１５０７が表示される。これより、部分プレビューの経過時間を確認でき、又、該タイムコード１５０７の末尾タイムコードを見れば、コマンド群先頭から末尾コマンドが始まるまでの所要時間も確認できる。
【００３２】
次に、本発明の別の一実施例（第４の実施例）を図１６〜２３によって説明する。図１６〜２３では、これまで説明した構成要素と同一の構成要素には同一の番号を付した。本実施例では、コマンド開始時刻の他に、コマンドの所要時間もタイムコードとして表示し、所要時間を一目で確認出来るようにした。以下、コマンド所要時間の表示方法の例を２件説明する。
【００３３】
まず、コマンド所要時間の表示方法の第１番目の方法の一実施例を、図１６〜２０によって説明する。図１６のタイムコードプルダウンメニュー６２０をマウスポインタ３０２でクリックすると、メニュー項目が表示される。この内、表示内容項目７３１を選択するとサブメニュー、表示内容メニュー１６３２が表示される。該メニュー１６３２の項目は、開始時刻項目１６３３、所要時間項目１６３４、両方併記項目１６３５である。開始時刻項目１６３３を選択すると、タイムコード表示領域３０５にコマンド開始時刻が表示される。所要時間項目１６３４を選択すると、該領域３０５にコマンド所要時間が表示される。両方併記項目１６３５を選択すると、該領域３０５にコマンド開始時刻と所要時間が併記される。チェックマーク１６３６は、現在どの表示内容が選択されているかを示す。図１６では、開始時刻項目１６３３にチェックマーク１６３６が表示されているので、タイムコード表示領域３０５にコマンド開始時刻のタイムコード６０７が表示されている。尚、該項目１６３３〜１６３５はいずれか一つが選択される。
【００３４】
以下、コマンド所要時間を表示する処理を、図１６〜１８を使って説明する。図１７のステップ１７０１で、オペレータは、図１６の表示内容メニュー１６３２から所要時間項目１６３４を選択する。次にステップ１７０２で、タイムコード表示領域３０５の先頭のコマンド開始時刻を開始時刻Ａとする。次にステップ１７０３で、開始時刻Ａを読込む。次にステップ１７０４で、開始時刻Ａの次に表示されているコマンド開始時刻を読込む。（ここでいう「次に表示されている」とは、図７の表示箇所メニューで指定された表示箇所に表示されていることを意味する）。次にステップ１７０５で、ステップ１７０４のコマンド開始時刻から開始時刻Ａを引いて、その間の所要時間を計算する。次にステップ１７０６で、ステップ１７０５の所要時間をタイムコード表示領域３０５に表示する。次にステップ１７０７で、ステップ１７０４のコマンド開始時刻を新たに開始時刻Ａとする。最後にステップ１７０８で、開始時刻Ａがタイムコード表示領域３０５の最後のタイムコードか判断する。真ならば、本処理を終了する。偽ならばステップ１７０３に戻り、コマンド所要時間の計算を繰り返す。この結果、図１８の様に、タイムコード表示領域３０５にコマンド所要時間のタイムコード１８０７が表示される。
【００３５】
又、コマンド開始時間と所要時間の両方を表示する場合は、図１６の表示内容メニュー１６３２の両方併記項目１６３５を選択する。所要時間の計算は、前述した図１７の処理を行う。その結果、図１９の様に、タイムコード表示領域３０５にコマンド開始時刻のタイムコード６０７とコマンド所要時間のタイムコード１８０７が、併記されて表示される。
【００３６】
又、操作性を挙げるため、図２０の様に、タイムコードポップアップメニュー２０３０も表示させるようにした。該メニュー２０３０は、図１６のタイムコードプルダウンメニュー６２０と同じメニュー項目を持っている。該メニュー２０３０は、タイムコード表示領域３０５のタイムコードが選択されていない状態で、マウス右クリックをすると表示される。該メニュー２０３０からでもプルダウンメニュー６２０の時と同じ結果が得られる。
【００３７】
次に、コマンド所要時間の表示方法の第２番目の方法の一実施例を、図２１〜２４によって説明する。図２１のステップ２１０１で、オペレータは、図２２の様に、マウスポインタ３０２でタイムコード領域３０５のタイムコード群２１３０を選択する。次にステップ２１０２で、マウスの状態を監視する。次にステップ２１０３で、マウスが右クリックされたか判断する。真ならば、ステップ２１０５に進む。偽ならば、ステップ２１０４に進む。次にステップ２１０４で、一定時間内にマウスポインタ３０２が移動していないか判断する。真ならば、ステップ２１０５に進む。偽ならば、ステップ２１０２に戻り、マウスの状態監視を繰り返す。次にステップ２１０５で、タイムコード群２１３０の先頭の開始時刻２２３１を読込む。次にステップ２１０６で、タイムコード群２１３０の次に表示されている開始時刻２２３２を読込む。次にステップ２１０７で、ステップ２１０６の開始時刻からステップ２１０５の開始時刻を引き、タイムコード群の所要時間を計算する。最後にステップ２１０８で、図２３の様に、ステップ２１０７で計算した所要時間がポップアップ表示２３４０で表示する。
【００３８】
【発明の効果】
以上説明したように本発明によれば、スクリプト表示に応じた経過時刻表示としてのタイムコード表示、あるいは、所要時間表示を、そのスクリプト表示に対応して表示し、それら経過時刻や所要時間を容易に確認できる。
【００３９】
また、タイムコードの表示箇所をオペレータが指定できるようになり、所望のタイムコードを目で探し出す手間がなくなる。
【００４０】
また、部分プレビューの際、選択範囲の先頭を時刻ゼロとしたタイムコードが表示されるようになり、その経過時間をオペレータが正確に確認出来るようになった。又、選択範囲末尾のタイムコードを見ることによって、選択範囲の先頭から末尾コマンドが始まるまでの所要時間を確認することができる。
【００４１】
また、タイムコードは、コマンド開始時間とコマンド所要時間が表示されるようになったため、オペレータはコマンドの所要時間を一目で確認出来るようになった。又、マウスポインタで任意のコマンド群を選び、その所要時間を確認できるようになったので使い勝手を向上させることができる。
【図面の簡単な説明】
【図１】本発明のタイムコード表示機能の一実施例を説明するフローチャート
【図２】番組制作装置を構成するブロック図
【図３】従来のタイムコード表示機能を示す図
【図４】従来の部分プレビュー機能を示す図
【図５】従来の部分プレビュー機能を示す図
【図６】本発明のタイムコード表示機能の一実施例を示す図
【図７】本発明のタイムコード表示機能の一実施例を示す図
【図８】本発明のタイムコード表示機能の一実施例を示す図
【図９】本発明のタイムコード表示機能の一実施例を示す図
【図１０】本発明のタイムコード表示機能の一実施例を示す図
【図１１】本発明のタイムコード表示機能の一実施例を示す図
【図１２】本発明のタイムコード表示機能の一実施例を示す図
【図１３】本発明のタイムコード表示機能の一実施例を示す図
【図１４】本発明のタイムコード表示機能の一実施例を説明するフローチャート
【図１５】本発明のタイムコード表示機能の一実施例を示す図
【図１６】本発明のタイムコード表示機能の一実施例を示す図
【図１７】本発明のタイムコード表示機能の一実施例を説明するフローチャート
【図１８】本発明のタイムコード表示機能の一実施例を示す図
【図１９】本発明のタイムコード表示機能の一実施例を示す図
【図２０】本発明のタイムコード表示機能の一実施例を示す図
【図２１】本発明のタイムコード表示機能の一実施例を説明するフローチャート
【図２２】本発明のタイムコード表示機能の一実施例を示す図
【図２３】本発明のタイムコード表示機能の一実施例を示す図
【符号の説明】
２０１：番組情報、２０２：記憶装置、２０３：コンピュータ、２０４：ディスプレイ、２０５：番組生成部、２０６：番組情報作成部、２０７：動画像生成部、２０８：キーボードや、２０９：マウス、２１０：ＣＧアニメーション生成部、２１１：音声合成部、２１２：ビデオインタフェース、２１３：モニタ、２１４：スピーカ、２２０：シーケンサ部、３０１：編集画面、３０２：マウスポインタ、３０３、３０３−１、３０３−２：プレビューウィンドウ、３０４：テキスト表示ウィンドウ、３０５：タイムコード表示領域、３０６：スクリプト表示領域、３０７：タイムコード、３０８：コマンド群、３０９：選択表示、３１０：プルダウンメニュー、３０８−９、３０８−１１：番組、４０９：コマンド群、５０７：タイムコード、６０７：イムコード、６２０：タイムコードプルダウンメニュー、７３０：表示箇所項目、７３１：表示内容項目、７３２：表示箇所メニュー、７３３：全コマンド項目、７３４：特定コマンド項目、７３５：カット先頭項目、７３６：チェックマーク、７４０：サブメニュー、８０７：タイムコード、９０７：タイムコード、９１０：タイトルコマンド、１００７：タイムコード、１１０７：タイムコード、１１１０：動画コマンド、１１１１：トークコマンド、１２０７：タイムコード、１３３０：タイムコードポップアップメニュー１５０７：タイムコード、１６３２：表示内容メニュー、１６３３：開始時刻項目、１６３４：所要時間項目、１６３５両方併記項目、１６３６：チェックマーク、１８０７タイムコード、２０３０：タイムコードポップアップメニュー、２１３０：タイムコード群、２２３１、２２３２：コマンド開始時刻、２３４０：ポップアップ表示
【図１】
0004079609.tif 000002
【図２】
0004079609.tif 000003
【図３】
0004079609.tif 000004
【図４】
0004079609.tif 000005
【図５】
0004079609.tif 000006
【図６】
0004079609.tif 000007
【図７】
0004079609.tif 000008
【図８】
0004079609.tif 000009
【図９】
0004079609.tif 000010
【図１０】
0004079609.tif 000011
【図１１】
0004079609.tif 000012
【図１２】
0004079609.tif 000013
【図１３】
0004079609.tif 000014
【図１４】
0004079609.tif 000015
【図１５】
0004079609.tif 000016
【図１６】
0004079609.tif 000017
【図１７】
0004079609.tif 000018
【図１８】
0004079609.tif 000019
【図１９】
0004079609.tif 000020
【図２０】
0004079609.tif 000021
【図２１】
0004079609.tif 000022
【図２２】
0004079609.tif 000023
【図２３】
0004079609.tif 000024